(57)【要約】【課題】コード情報を端末装置の画面に表示する設定をすることを効果的にユーザに促すこと。【解決手段】コード情報表示装置が、処方せんの画像データを受信する通信部１２２と、所定の情報をコード化したコード情報が処方せんに含まれていない場合に、画像データを表示し、コード情報が処方せんに含まれており、かつ、コード情報を表示する設定がなされている場合に、コード情報を画像データと並べて表示し、コード情報が処方せんに含まれており、かつ、コード情報を表示しない設定がなされている場合に、コード情報を表示する設定への変更を促す情報を画像データと並べて表示するように表示部１２３を制御する表示制御部１２５と、を備える。【選択図】図６
2019020757.tif 000002
【特許請求の範囲】
【請求項１】
処方せんの画像の情報を受信する通信部と、
所定の情報をコード化したコード情報が前記処方せんに含まれていない場合に、前記画像を表示し、前記コード情報が前記処方せんに含まれており、かつ、前記コード情報を表示する設定がなされている場合に、前記コード情報を前記画像と並べて表示し、前記コード情報が前記処方せんに含まれており、かつ、前記コード情報を表示しない設定がなされている場合に、前記コード情報を表示する設定への変更を促す情報を前記画像と並べて表示するように表示部を制御する表示制御部と、
を備えるコード情報表示装置。
【請求項２】
前記表示制御部は、前記表示部に表示されたコード情報が選択された場合に、選択されたコード情報を拡大表示するよう前記表示部を制御する請求項１に記載のコード情報表示装置。
【請求項３】
前記コード情報を表示するか否かは、前記コード情報を表示するオプション機能の利用契約に基づいて設定される請求項１または２に記載のコード情報表示装置。
【請求項４】
処方せんの画像の情報を受信する受信ステップと、
所定の情報をコード化したコード情報が前記処方せんに含まれていない場合に、前記画像を表示し、前記コード情報が前記処方せんに含まれており、かつ、前記コード情報を表示する設定がなされている場合に、前記コード情報を前記画像と並べて表示し、前記コード情報が前記処方せんに含まれており、かつ、前記コード情報を表示しない設定がなされている場合に、前記コード情報を表示する設定への変更を促す情報を前記画像と並べて表示するように表示部を制御する表示制御ステップと、
を含むコード情報表示方法。
【請求項５】
コンピュータに、
処方せんの画像の情報を受信する受信手順、
所定の情報をコード化したコード情報が前記処方せんに含まれていない場合に、前記画像を表示し、前記コード情報が前記処方せんに含まれており、かつ、前記コード情報を表示する設定がなされている場合に、前記コード情報を前記画像と並べて表示し、前記コード情報が前記処方せんに含まれており、かつ、前記コード情報を表示しない設定がなされている場合に、前記コード情報を表示する設定への変更を促す情報を前記画像と並べて表示するように表示部を制御する表示制御手順、
を実行させるコード情報表示プログラム。
【発明の詳細な説明】
【技術分野】
【０００１】
本発明は、医療機関にて発行された処方せんの情報を含んだコード情報の表示を行うコード情報表示装置、コード情報表示方法、および、コード情報表示プログラムに関する。
【背景技術】
【０００２】
従来、患者が携帯電話やスマートフォンのカメラ機能を用いて医療機関で発行された処方せんを撮像し、撮像した処方せんの画像を薬局に送ることによって事前に処方せんの内容を薬局に伝達する技術が知られている。
【０００３】
さらに、患者が処方せんに付された２次元コード情報を撮像し、２次元コード情報に埋め込まれた処方せんの内容を示す情報を薬局に送ることによって、処方せんの内容を薬局に伝達する技術もある。
【０００４】
例えば、特許文献１には、患者端末、サーバ装置、薬局端末、および、レセプトコンピュータを備えたシステムが記載されている。
【０００５】
当該システムでは、処方せんが患者のスマートフォン（患者端末）によって撮像されると、患者端末は、処方せんに付された２次元コード情報を文字情報に変換してサーバ装置に送信する。サーバ装置は、受信した文字情報を、再度２次元コード情報に変換し、薬局端末に送信する。薬局端末は、受信した２次元コード情報を画面に表示させる。薬局では、薬局端末の画面に表示された２次元コード情報をコードスキャナーなどを用いてレセプトコンピュータに読み込ませる。
【０００６】
これにより、患者が薬局を訪れる前に、薬局において薬剤師（薬局によっては事務員の場合もある）が患者に処方する薬剤の準備を行うことができ、患者の薬局での待ち時間の軽減を図ることができる。さらに、薬局では、患者が薬局を訪れる前に前倒しで処方せんの内容を迅速且つ正確にレセプトコンピュータに入力することが可能となる。
【先行技術文献】
【特許文献】
【０００７】
【特許文献１】特開２０１６−２１８７４０号公報
【発明の概要】
【発明が解決しようとする課題】
【０００８】
しかしながら、薬局とシステム提供者との間の契約に基づいて、２次元コード情報を薬局端末の画面に表示する設定がされていない場合は薬局端末の画面には２次元コード情報が表示されない。このような場合、システムの提供者にとっては、２次元コード情報を薬局端末の画面に表示する契約などを結ぶことを促すことが望ましい。
【０００９】
本発明は、このような課題を解決するためになされたものであり、コード情報を端末装置の画面に表示する設定をすることを効果的にユーザに促すことが可能なコード情報表示装置、コード情報表示方法、および、コード情報表示プログラムを提供することを目的とする。
【課題を解決するための手段】
【００１０】
上記目的を達成するため、本発明のコード情報表示装置は、処方せんの画像の情報を受信する通信部と、所定の情報をコード化したコード情報が処方せんに含まれていない場合に、画像を表示し、コード情報が処方せんに含まれており、かつ、コード情報を表示する設定がなされている場合に、コード情報を画像と並べて表示し、コード情報が処方せんに含まれており、かつ、コード情報を表示しない設定がなされている場合に、コード情報を表示する設定への変更を促す情報を画像と並べて表示するように表示部を制御する表示制御部と、を備える。
【００１１】
また、本発明のコード情報表示方法は、処方せんの画像の情報を受信する受信ステップと、所定の情報をコード化したコード情報が処方せんに含まれていない場合に、画像を表示し、コード情報が処方せんに含まれており、かつ、コード情報を表示する設定がなされている場合に、コード情報を画像と並べて表示し、コード情報が処方せんに含まれており、かつ、コード情報を表示しない設定がなされている場合に、コード情報を表示する設定への変更を促す情報を画像と並べて表示するように表示部を制御する表示制御ステップと、を含む。
【００１２】
また、本発明のコード情報表示プログラムは、コンピュータに、処方せんの画像の情報を受信する受信手順、所定の情報をコード化したコード情報が処方せんに含まれていない場合に、画像を表示し、コード情報が処方せんに含まれており、かつ、コード情報を表示する設定がなされている場合に、コード情報を画像と並べて表示し、コード情報が処方せんに含まれており、かつ、コード情報を表示しない設定がなされている場合に、コード情報を表示する設定への変更を促す情報を画像と並べて表示するように表示部を制御する表示制御手順、を実行させる。
【発明の効果】
【００１３】
本発明によれば、コード情報を端末装置の画面に表示する機能を設定することを効果的にユーザに促すことができる。
【図面の簡単な説明】
【００１４】
【図１】本発明の実施の形態に係る処方せん表示システムの構成の一例を示す図
【図２】本発明の実施の形態に係る処方せん表示システムに含まれる携帯端末の構成の一例を示す図
【図３】携帯端末に記憶される薬局リストの一例を示す図
【図４】本発明の実施の形態に係る処方せん表示システムに含まれるサーバ装置の構成の一例を示す図
【図５】サーバ装置に記憶される薬局設定情報の一例を示す図
【図６】本発明の実施の形態に係る処方せん表示システムに含まれる端末装置の構成の一例を示す図
【図７】本発明の実施の形態に係る処方せん表示システムにおいて実行される処理の一例を示す図
【図８】撮像される処方せんの画像を表示する携帯端末の表示部の一例を示す図
【図９】端末装置に表示される依頼リスト画面の一例を示す図
【図１０】２次元コード情報を表示する設定がされている場合の送信情報画面の一例を示す図
【図１１】２次元コード情報を表示する設定への変更を促す表示を行う場合の送信情報画面の一例を示す図
【図１２】２次元コード情報を表示しない場合の送信情報画面の一例を示す図
【図１３】処方せんに２次元コード情報が含まれていない場合の送信情報画面の一例を示す図
【図１４】拡大した２次元コード情報を表示する送信情報画面の一例を示す図
【図１５】送信情報画面の他の例を示す図
【発明を実施するための形態】
【００１５】
以下、本発明の実施形態について、図面を参照して詳細に説明する。図１は、本発明の実施の形態に係る処方せん表示システムの構成の一例を示す図である。
【００１６】
本発明の実施の形態に係る処方せん表示システム１は、携帯端末１０と、サーバ装置１１と、端末装置１２とを備える。携帯端末１０とサーバ装置１１、および、サーバ装置１１と端末装置１２はそれぞれデータ通信を行う。
【００１７】
図２は、本発明の実施の形態に係る処方せん表示システム１に含まれる携帯端末１０の構成の一例を示す図である。携帯端末１０は、医療機関にて発行された処方せんの画像を撮像してサーバ装置１１に送信する装置である。携帯端末１０は、例えば、患者が所有する携帯電話、スマートフォン、タブレットなどの装置である。
【００１８】
携帯端末１０は、入力部１０１と、通信部１０２と、表示部１０３と、記憶部１０４と、撮像部１０５と、制御部１０６と、を含む。
【００１９】
入力部１０１は、携帯端末１０への操作を受け付ける入力装置である。入力部１０１は、例えば、タッチパネルにより構成される。また、入力部１０１は、押しボタンや回転型のセレクタを含んでいてもよい。
【００２０】
入力部１０１は、例えば、専用アプリケーションの起動操作、処方せんの撮像操作、薬局の選択操作、情報の送信操作などを受け付ける。
【００２１】
通信部１０２は、サーバ装置１１との通信を行う通信装置である。通信部１０２は、アンテナ、送信回路、受信回路などを含む。通信部１０２は、所定のネットワークを介してサーバ装置１１と通信する。
【００２２】
表示部１０３は、種々の情報を表示する表示装置である。表示部１０３は、例えば、液晶ディスプレイなどの表示装置である。また、表示部１０３がタッチパネルで構成される場合、表示部１０３は、入力部１０１の機能を兼ね備える。
【００２３】
記憶部１０４は、所定の情報を記憶する記憶装置である。記憶部１０４は、例えば、ハードディスク装置、メモリなどの記憶装置である。
【００２４】
記憶部１０４に記憶される情報には、患者識別情報１０４ａ、専用アプリケーション１０４ｂ、薬局リスト１０４ｃが含まれる。
【００２５】
患者識別情報１０４ａは、患者を識別可能なコード情報であり、例えば、１０桁の数字で構成される。
【００２６】
専用アプリケーション１０４ｂは、携帯端末１０にインストールされるアプリケーションプログラムである。処方せんの撮像、撮像画像に含まれる２次元コード情報の認識、２次元コード情報から文字情報への変換、撮像画像や文字情報の送信といった処理は専用アプリケーション１０４ｂによって実現される。なお、これらの一部の処理は携帯端末１０にインストールされている汎用のアプリケーションを利用して行ってもよい。
【００２７】
薬局リスト１０４ｃは、患者が選択可能な薬局のリスト情報である。薬局リスト１０４ｃは、それぞれの薬局に割り振られた薬局識別情報を含む（図３参照。）。患者が撮像した処方せんの画像などの情報は、選択された薬局に対応する薬局識別情報とともにサーバ装置１１に送られる。
【００２８】
撮像部１０５は、医療機関で発行された処方せんなどを撮像する撮像装置である。撮像部１０５は、例えば、ＣＣＤ（Ｃｈａｒｇｅ  Ｃｏｕｐｌｅｄ  Ｄｅｖｉｃｅ）カメラやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）カメラなどの撮像装置である。
【００２９】
制御部１０６は、携帯端末１０の制御を行うプロセッサなどの制御装置である。制御部１０６は、記憶部１０４に記憶された専用アプリケーション１０４ｂに基づいて各部の制御を行う。
【００３０】
また、制御部１０６は、撮像部１０５で撮像した処方せんの画像の２次元コード情報の読み込み処理を行う。
【００３１】
処方せんの画像の２次元コード情報が読み込まれた場合、制御部１０６は、読み込んだ２次元コード情報を文字情報に変換する。制御部１０６は、撮像した処方せんの画像情報、２次元コード情報から変換した文字情報、患者情報、および、選択された薬局の薬局識別情報などの情報を通信部１０２からサーバ装置１１に出力する。
【００３２】
処方せんの画像の２次元コード情報が読み込まれなかった場合、制御部１０６は、撮像した処方せんの画像情報、患者情報、および、選択された薬局の薬局識別情報などの情報を通信部１０２からサーバ装置１１に送信する。
【００３３】
ここで、処方せんの画像の２次元コード情報が読み込まれなかった場合とは、処方せんに２次元コード情報が付されていない場合、または、処方せんに２次元コード情報が付されているものの、処方せんの画像から２次元コード情報を認識し得なかった場合である。
【００３４】
次に、サーバ装置１１について説明する。図４は、本発明の実施の形態に係る処方せん表示システム１に含まれるサーバ装置１１の構成の一例を示す図である。
【００３５】
サーバ装置１１は、通信部１１１と、記憶部１１２と、制御部１１３と、を含む。通信部１１１は、送信回路、受信回路などを含む。通信部１１１は、所定のネットワークを介して携帯端末１０および端末装置１２と通信する。
【００３６】
記憶部１１２は、所定の情報を記憶する記憶装置である。記憶部１１２は、例えば、ハードディスク装置、メモリなどの記憶装置である。
【００３７】
記憶部１１２は、薬局設定情報１１２ａを記憶する。図５は、薬局設定情報１１２ａとして記憶部１１２が記憶する情報を示す。記憶部１１２は、薬局設定情報１１２ａとして、端末装置１２を識別する薬局識別情報ごとに、認証パスワード、および、２次元コード情報表示フラグなど記憶している。
【００３８】
認証パスワードは、端末装置１２から接続要求があった際に、端末装置１２を認証するためのパスワードである。
【００３９】
２次元コード情報表示フラグは、端末装置１２の画面に２次元コード情報を表示する設定がされているか否か、また、２次元コード情報を表示する設定がされていない場合に、２次元コード情報を表示する設定への変更を促す表示を行うか否かを示す情報である。
【００４０】
０の２次元コード情報表示フラグは、端末装置１２の画面に２次元コード情報を表示せず、且つ、２次元コード情報を表示する設定への変更を促す表示も行わないことを示す。
【００４１】
１の２次元コード情報表示フラグは、端末装置１２の画面に２次元コード情報を表示せず、２次元コード情報を表示する設定への変更を促す表示を行うことを示す。
【００４２】
２の２次元コード情報表示フラグは、端末装置１２の画面に２次元コード情報を表示することを示す。サーバ装置１１の制御部１１３は、２次元コード情報表示フラグを参照して、端末装置１２に送信する情報を決定する。
【００４３】
制御部１１３は、サーバ装置１１の制御を行うプロセッサなどの制御装置である。制御部１１３は、通信部１１１の制御、携帯端末１０から受信した文字情報のコード化などの処理を実行する。
【００４４】
また、制御部１１３は、端末装置１２の認証を行う。端末装置１２が処方せん表示システム１に接続される際、サーバ装置１１は、端末装置１２からログイン要求とともに認証パスワードを受信する。
【００４５】
制御部１１３は、端末装置１２から受信した認証パスワードと記憶部１１２に記憶した認証パスワードとの照合を行い、両者が一致していた場合、サーバ装置１１に対する端末装置１２の接続を許可する。一方、端末装置１２から受信した認証パスワードと記憶部１１２に記憶した認証パスワードが一致しない場合、サーバ装置１１に対する端末装置１２の接続を許可しない。
【００４６】
なお、サーバ装置１１における端末装置１２の認証方法はこのような方法に限らない。例えば、指紋認証などの生体認証技術を利用してもよい。
【００４７】
また、制御部１１３は、携帯端末１０から受信した文字情報を２次元コード情報（画像情報）に変換する。このとき、制御部１１３は、携帯端末１０から受信した文字情報が処方せんに付された２次元コード情報から変換されたものであるか否かの判定を行う。具体的には、制御部１１３は、処方せんに付された２次元コード情報に含まれるべき文字情報として予め登録された文字情報と、携帯端末１０から受信した文字情報とを比較して、上記判定を行う。
【００４８】
携帯端末１０から受信した文字情報が処方せんに付された２次元コード情報ではないと判定された場合、制御部１１３は、通信部１１１を介して携帯端末１０にその旨を表示させる制御情報を送信してもよい。
【００４９】
通信部１１１が、携帯端末１０から処方せんの画像情報、文字情報、患者情報、および、薬局識別情報を含む情報を受信し、制御部１１３が、受信した文字情報が処方せんに付された２次元コード情報であると判定すると、制御部１１３は、それらの情報を記憶部１１２に記憶させる。
【００５０】
また、制御部１１３は、端末装置１２から表示更新情報を受信した場合、表示更新情報を送信した端末装置１２を特定するとともに、記憶部１１２に記憶した薬局設定情報１１２ａの２次元コード情報表示フラグを参照して、特定した薬局の端末装置１２に送信する情報を決定する。ここで、表示更新情報とは、端末装置１２の画面に表示させる情報の更新要求である。
【００５１】
特定した端末装置１２に対応する２次元コード情報表示フラグが０に設定されている場合、制御部１１３は、端末装置１２に処方せんの画像情報、患者情報、および、２次元コード情報を表示しないよう端末装置１２の画面を制御する制御情報を端末装置１２に送信する。
【００５２】
特定した薬局の端末装置１２に対応する２次元コード情報表示フラグが１に設定されている場合、制御部１１３は、その端末装置１２に処方せんの画像情報、患者情報、および、２次元コード情報を表示する設定への変更を促す表示をするよう端末装置１２の画面を制御する制御情報を送信する。
【００５３】
特定した薬局の端末装置１２に対応する２次元コード情報表示フラグが２に設定されている場合、制御部１１３は、その端末装置１２に処方せんの画像情報、患者情報、および、処方せんの内容を示す文字情報を埋め込んだ２次元コード情報を送信する。
【００５４】
なお、通信エラーや２次元コード情報、あるいは、２次元コード情報から変換された文字情報の不具合などが検出され、携帯端末１０から受信した文字情報を正常な２次元コード情報に変換できない場合、制御部１１３は、端末装置１２に２次元コード情報を送信しない。
【００５５】
次に、端末装置１２について説明する。図６は、本発明の実施の形態に係る処方せん表示システム１に含まれる端末装置１２の構成の一例を示す図である。端末装置１２は、入力部１２１と、通信部１２２と、表示部１２３と、記憶部１２４と、制御部１２５とを有する。
【００５６】
入力部１２１は、携帯端末１０への操作を受け付ける入力装置である。入力部１２１は、例えば、タッチパネル、キーボード、または、マウスなどの入力装置である。入力部１２１は、例えば、サーバ装置１１へのログインを要求する操作や、所定の患者の処方せんを表示するための操作を受け付ける。
【００５７】
通信部１２２は、サーバ装置１１との通信を行う通信装置である。通信部１２２は、送信回路、受信回路などを含む。通信部１２２は、所定のネットワークを介してサーバ装置１１と通信する。
【００５８】
表示部１２３は、種々の情報を表示する表示装置である。表示部１２３は、例えば、液晶ディスプレイなどの表示装置である。また、表示装置がタッチパネルで構成される場合、表示部１２３は、入力部１２１の機能を兼ね備える。
【００５９】
記憶部１２４は、所定の情報を記憶する記憶装置である。記憶部１２４は、例えば、ハードディスク装置、メモリなどの記憶装置である。
【００６０】
記憶部１２４に記憶される情報には、処方せん情報１２４ａが含まれる。処方せん情報１２４ａは、サーバ装置１１から受信した処方せんの情報である。
【００６１】
制御部１２５は、端末装置１２の各部の制御を行うプロセッサなどの制御装置である。制御部１２５は、サーバ装置１１から受信した情報に基づいて、処方せん画像および２次元コード情報の表示制御などを行う。
【００６２】
制御部１２５は、サーバ装置１１から処方せんの画像情報、患者情報などを受信すると、表示部１２３に処方せんの画像、患者氏名などを表示させる。また、制御部１２５は、サーバ装置１１から２次元コード情報を受信したときは、画面に２次元コード情報を表示させる。
【００６３】
また、制御部１２５は、サーバ装置１１から２次元コード情報を表示する設定への変更を促す表示をするよう端末装置１２の画面を制御する制御情報を受信した場合、表示部１２３に２次元コード情報を表示する設定への変更を促す表示を行う。さらに、制御部１２５は、サーバ装置１１から２次元コード情報を表示しないよう端末装置１２の画面を制御する制御情報を受信した場合は、画面に２次元コード情報を表示させない。具体的な表示画面については後に詳しく説明する。
【００６４】
次に、本発明の実施の形態に係る処方せん表示システム１が行う処理について、図７を参照して説明する。まず、携帯端末１０の入力部１０１が、患者から専用アプリケーション１０４ｂの起動要求を受け付けると、制御部１０６は、専用アプリケーション１０４ｂを起動する（ステップＳ１１）。
【００６５】
専用アプリケーション１０４ｂが起動すると、患者の入力部１０１を介した撮像操作に応じて、撮像部１０５は、医療機関にて発行された処方せんを撮像する（ステップＳ１２）。
【００６６】
ここで、処方せんの撮像方法について、図８を参照して説明する。図８は、撮像される処方せん１３の画像を表示する携帯端末１０の表示部１０３の一例を示す図である。処方せん１３には、患者氏名、処方内容などの情報が含まれている。また、処方せん１３には、２次元コード情報１３ａが含まれている場合がある。
【００６７】
患者は、このような処方せん１３の画像を表示部１０３の略全面に表示させる。そして、患者が表示部１０３の最下部中央に配置された撮像ボタン１０６ａ（入力部１０１の一種）をタッチすると、撮像部１０５が処方せん１３の画像を撮像する。処方せんが複数ページからなる場合、患者は同様の操作により各ページの画像を撮像する。
【００６８】
図７の説明に戻る。処方せん１３の画像が撮像されると、制御部１０６は、２次元コード情報の読み込みを行う（ステップＳ１３）。上述したように、処方せん１３の画像から２次元コード情報１３ａが読み込まれた場合、制御部１０６は、２次元コード情報１３ａを文字情報に変換し、文字情報および処方せん１３の画像情報を含む情報をサーバ装置１１に送信する（ステップＳ１４）。
【００６９】
一方、処方せん１３の画像から２次元コード情報１３ａが読み込まれなかった場合、制御部１０６は、２次元コード情報１３ａを含まず、処方せん１３の画像情報を含む情報をサーバ装置１１に送信する。そして、携帯端末１０における撮像処理は終了する。
【００７０】
次に、サーバ装置１１において行われる処理について説明する。端末装置１２から認証要求を受けると、サーバ装置１１の制御部１１３は、端末装置１２の認証を行う（ステップＳ１５）。端末装置１２の認証が行われると、制御部１１３は、端末装置１２に認証結果を送信する（ステップＳ１６）。
【００７１】
制御部１１３は、端末装置１２の認証に成功した場合は、その旨の情報を端末装置１２に送信するとともに、サーバ装置１１への接続を許可する。一方、端末装置１２の認証に失敗した場合、制御部１１３は、その旨の情報を端末装置１２に送信し、サーバ装置１１への接続を許可しない。
【００７２】
携帯端末１０から処方せん１３の情報を受信すると、制御部１１３は、受信した処方せん１３の情報を記憶部１１２に記憶させる（ステップＳ１７）。
【００７３】
また、制御部１１３は、端末装置１２から表示更新情報を受信した場合、表示更新情報を送信した端末装置１２を特定する（ステップＳ１８）。そして、制御部１１３は、薬局設定情報１１２ａを参照して、特定した端末装置１２に送信する処方せん１３の情報を決定する（ステップＳ１９）。
【００７４】
具体的には、制御部１１３は、処方せん１３の画像情報、患者情報、および、処方せん１３の内容を示す文字情報を埋め込んだ２次元コード情報を送信するのか、処方せん１３の画像情報、患者情報、および、２次元コード情報を表示する設定への変更を促す表示をするよう端末装置１２の画面を制御する制御情報を送信するのか、あるいは、処方せん１３の画像情報、患者情報、および、２次元コード情報を表示しないよう端末装置１２の画面を制御する制御情報を送信するのかを決定する。
【００７５】
そして、制御部１１３は、薬局識別情報に基づいて特定した端末装置１２に対して、決定した処方せん１３の情報を送信し（ステップＳ２０）、サーバ装置１１での端末装置１２への表示用情報の送信処理を終了する。
【００７６】
次に、端末装置１２において行われる処理について説明する。端末装置１２の通信部１２２は、サーバ装置１１に対して認証要求を送信する（ステップＳ２１）。サーバ装置１１おいて、端末装置１２の認証がされると、通信部１２２は、認証結果を受信する（ステップＳ２２）。
【００７７】
端末装置１２の認証が成功した場合、端末装置１２は、サーバ装置１１への接続が許可されるが、端末装置１２の認証が失敗した場合は、サーバ装置１１への接続は許可されない。
【００７８】
次に、制御部１２５は、サーバ装置１１に対して表示更新情報を送信する（ステップＳ２３）。制御部１２５が表示更新情報をサーバ装置１１に対して送信するタイミングは、適宜決定すればよい。例えば、表示更新情報は、所定の時間間隔で送信するように設定することができる。さらに、入力部１２１に入力操作を受け付けた場合にも表示更新情報を送信できるようにしてもよい。
【００７９】
端末装置１２の制御部１２５は、通信部１２２がサーバ装置１１から処方せん１３の情報を受信すると（ステップＳ２４）、受信した情報に基づいて処方せん１３の情報を送信情報画面に表示させる（ステップＳ２５）。ここで、通信部１２２が２次元コード情報を表示しないよう端末装置１２の画面を制御する制御情報を受信した場合は、画面に２次元コード情報は表示されない。また、送信情報画面とは、サーバ装置１１から受信した処方せん１３の情報を表示する画面である。送信情報画面の具体的な表示態様については、後に詳しく説明する。その後、所定の終了指示があった場合、端末装置での処理を終了する。
【００８０】
ここで、端末装置１２に表示される処方せん１３の情報について具体的に説明する。図９は、端末装置１２に表示される依頼リスト画面１４の一例を示す図である。依頼リスト画面１４には、状態欄１４１、患者氏名欄、送信情報欄１４２、受付欄１４４、呼出欄１４５などが含まれる。
【００８１】
状態欄１４１は、処方せん１３の受付が完了したか否か、調剤が行われている最中であるか否か、または、患者の呼び出しが行われている最中か否かの状態を示す。
【００８２】
処方せん１３の受付が未だ完了していない場合、状態欄１４１には「受付中」の文字が表示される。受付が完了し受付欄１４４の「受付」表示が入力部１２１の操作により選択されると、状態欄１４１の表示は、「調剤中」に変更される。また、調剤が完了し、呼出欄１４５の「呼出」表示が入力部１２１の操作により選択されると、状態欄１４１の表示は、例えば、「呼出中」に変更される。
【００８３】
送信情報欄１４２に表示された送信情報ボタン１４３が入力部１２１の操作により選択されると、処方せん１３の撮像画像を含む情報が送信情報画面に表示される。
【００８４】
送信情報ボタン１４３は、その表示態様によって携帯端末１０から受信した情報の内容を示している。携帯端末１０から送られてきた情報に処方せん１３の画像情報と２次元コード情報１３ａが含まれる場合、送信情報ボタン１４３に２次元コード情報１３ａを模した絵柄と「表示」の文字が表示される。
【００８５】
また、携帯端末１０から送られてきた情報に２次元コード情報１３ａは含まれず、処方せん１３の画像情報が含まれる場合、送信情報ボタン１４３にゼムクリップを模した絵柄と「表示」の文字が表示される。
【００８６】
次に、送信情報ボタン１４３が入力部１２１の操作により選択されたときに表示される送信情報画面１５について図１０〜１３を用いて説明する。図１０は、端末装置１２の画面に２次元コード情報１３ａを表示する設定がされている場合における送信情報画面１５を示す。
【００８７】
送信情報画面１５には、ページ選択ボタン表示領域１５１と、２次元コード情報表示領域１５２と、処方せん表示領域１５３とが含まれる。ページ選択ボタン表示領域１５１は、送信情報画面１５の上部に配置される。
【００８８】
ページ選択ボタン表示領域１５１には、例えば、複数のページ選択ボタン１５１ａ，１５１ｂ，１５１ｃが表示される。複数のページ選択ボタン１５１ａ，１５１ｂ，１５１ｃは、携帯端末１０から一度に複数ページの処方せん１３の画像が送られてきた場合に、処方せん表示領域１５３に表示させる処方せん１３のページを選択するためのボタンである。図１０には、携帯端末１０から３ページ分の処方せん１３の画像が送られてきた場合の送信情報画面１５の例が示されている。
【００８９】
処方せん１３のページに２次元コード情報１３ａが付されている場合、ページ選択ボタン１５１ａ，１５１ｂ，１５１ｃの右下には、２次元コード情報１３ａを模した絵柄が重畳表示される。
【００９０】
図１０に示す例では、ページ選択ボタン１５１ｂ，１５１ｃの右下に２次元コード情報１３ａを模した絵柄が重畳表示されている。これにより薬局の担当者に２ページ目と３ページ目の処方せん１３に２次元コード情報１３ａが付されていることを認識させることができる。
【００９１】
また、現在選択されているページを明示的に示すため、現在選択されているページ選択ボタン１５１ｂは強調表示される。図１０に示す例では、ページ選択ボタン１５１ｂが強調表示されている。
【００９２】
ページ選択ボタン表示領域１５１の下側には、２次元コード情報表示領域１５２が配置される。２次元コード情報表示領域１５２には、携帯端末１０で読み込まれた２次元コード情報１３ａが表示される。これにより、薬局の担当者は、レセプトコンピュータの読み取り装置に２次元コード情報１３ａを読み取らせることができる。
【００９３】
処方せん表示領域１５３には、ページ選択ボタン１５１ａ，１５１ｂ，１５１ｃにより選択されたページの画像が表示される。これにより、薬局の担当者は、処方せん１３の各ページを確認することができる。
【００９４】
図１１は、端末装置１２の画面に２次元コード情報１３ａを表示する設定がされていない場合において、２次元コード情報１３ａを表示する設定への変更を促す表示を行う送信情報画面１５の一例を示す図である。
【００９５】
端末装置１２に２次元コード情報１３ａを表示する設定がされていない場合とは、例えば、２次元コード情報１３ａを端末装置１２の画面に表示する機能がオプション機能とされており、薬局と処方せん表示システム１の提供者との間で当該オプション機能の利用契約がなされていない場合である。
【００９６】
オプション機能の利用契約がなされていない場合、サーバ装置１１の記憶部１１２に記憶されている薬局設定情報１１２ａに含まれる２次元コード情報フラグは、０または１に設定されている。端末装置１２の画面に２次元コード情報１３ａを表示する設定への変更を促す表示をした結果、オプション機能の利用契約がなされた場合、サーバ装置１１の管理者などにより、２次元コード情報フラグが１から２に更新される。
【００９７】
図１１に示す送信情報画面１５には、ページ選択ボタン表示領域１５１と、リンク表示領域１５４と、処方せん表示領域１５３が含まれる。
【００９８】
ページ選択ボタン表示領域１５１、および、処方せん表示領域１５３は、図１０を用いて説明したページ選択ボタン表示領域１５１、および、処方せん表示領域１５３と同様のものである。
【００９９】
リンク表示領域１５４は、２次元コード情報１３ａを表示する設定への変更を薬局の担当者に促す表示を行う領域である。例えば、リンク表示領域１５４には、２次元コード情報１３ａを模したアイコンとともに、「＜オプション機能＞ここに二次元バーコードが表示されます。バーコードリーダーでレセコンに読取れます。」との表示がされる。
【０１００】
さらに、「オプション追加はこちらまで」とのテキスト情報が表示され、このテキスト情報にリンク先のウェブサイトへのハイパーリンクが設定される。リンク先のウェブサイトでは、端末装置１２の画面に２次元コード情報１３ａを表示する設定の手続を行うことができる。
【０１０１】
例えば、リンク先のウェブサイトにおいて、端末装置１２の画面に２次元コード情報１３ａを表示するための設定が行われると、サーバ装置１１に対して、サーバ装置１１の記憶部１１２に記憶されている薬局設定情報１１２ａに含まれる２次元コード情報表示フラグを２にするよう指示する命令が送信される。そして、この命令を受信したサーバ装置１１は、２次元コード情報表示フラグを２に設定する。
【０１０２】
これにより、オプション機能を追加すれば２次元コード情報１３ａが送信情報画面１５に表示され、処方せん１３に含まれる情報を容易にレセプトコンピュータに入力することが可能であることを薬局の担当者に認識させることができる。また、ハイパーリンクのリンク先においてオプション機能の追加を行うことができるようにしているので、簡単な操作でオプション機能を追加することができる。
【０１０３】
なお、設定変更の手続きは、このような態様に限られない。例えば、２次元コード情報を表示する設定に変更する場合は、書面によって契約の変更を行うこととしてもよい。例えば、ウェブサイト上では、変更手続きのための書面を取り寄せる手続を行い、契約変更の申し込み後に、サーバ装置１１の管理者が２次元コード情報表示フラグの設定変更を行うようにしてもよい。
【０１０４】
図１２は、端末装置１２の画面に２次元コード情報１３ａを表示する設定がされていない場合であって、リンク表示領域１５４が表示されない場合の送信情報画面１５を示している。この場合、処方せん１３に２次元コード情報１３ａが含まれるか否かにかかわらず、送信情報画面１５には、図１０に示したような２次元コード情報表示領域１５２は表示されない。
【０１０５】
なお、端末装置１２の画面に２次元コード情報１３ａを表示する設定がされていない場合に、図９に示したようなリンク表示領域１５４を送信情報画面１５に表示させるか否かは、サーバ装置１１において適宜設定できるようにすればよい。
【０１０６】
例えば、当該処方せん表示システム１を導入して間もない薬局の端末装置１２には、リンク表示領域１５４を常に表示させ、それ以外の端末装置１２には所定時間ごとに表示させるようにする。
【０１０７】
このようにすれば、処方せん表示システム１を導入して間もないユーザに対しては、端末装置１２の画面に２次元コード情報１３ａを表示するという機能を知らせることができる。一方、当該処方せん表示システム１の利用に慣れたユーザに対しては、常に設定リンク表示領域１５４が画面に表示されることで感じる煩わしさを低減させることができる。
【０１０８】
また、リンク表示領域１５４は、端末装置１２の入力部１２１から所定の入力操作があった場合に消去されるようにしてもよい。このようにすれば、薬局の担当者が、端末装置１２の画面に２次元コード情報１３ａを表示することを希望しない場合、リンク表示領域１５４を消去し、処方せん表示領域１５３を大きく表示させることができる。
【０１０９】
図１３は、処方せん１３に２次元コード情報１３ａが含まれていない場合の送信情報画面１５の一例を示す図である。処方せん１３に２次元コード情報１３ａが含まれていない場合は、端末装置１２の画面に２次元コード情報１３ａを表示する設定がされているか否かにかかわらず、２次元コード情報表示領域１５２およびリンク表示領域１５４は表示されない。
【０１１０】
図１４は、２次元コード情報表示領域１５２に表示された２次元コード情報１５２１，１５２２を２次元コード拡大表示領域１５５において拡大表示した送信情報画面１５の一例を示す図である。
【０１１１】
２次元コード情報表示領域１５２に表示された何れかの２次元コード情報１５２１，１５２２が選択されると、選択された２次元コード情報１５２１は、２次元コード拡大表示領域１５５において拡大表示される。これにより、２次元コード拡大表示領域１５５に表示された２次元コード情報１５２１，１５２２を確実にレセプトコンピュータに読み取らせることができる。
【０１１２】
図１５は、送信情報画面１５の他の例を示す図である。図１５は、端末装置１２に２次元コード情報１３ａを表示する設定がされている場合の送信情報画面１５を示しており、ページ選択ボタン表示領域１５１、２次元コード情報表示領域１５２、処方せん表示領域１５３、および、処方せん情報表示領域１５６を含む。また、端末装置１２に２次元コード情報を表示する設定がされていない場合は、２次元コード情報表示領域１５２に代えて、図１１に示したような設定リンク表示領域１５４が表示される。
【０１１３】
処方せん情報表示領域１５６は、２次元コード情報１３ａに埋め込まれた処方せん１３の文字情報を表示する。これにより、処方せん表示領域１５３に表示される処方せん１３の画像が不鮮明であったり、処方せん１３の画像に白とびや黒つぶれが発生して、文字が薬局の担当者にとって読み取りにくいと感じる撮像画像であった場合に、処方せん情報表示領域１５６に表示された処方せん１３の内容に基づいて薬局の担当者は薬剤の準備を行うことができる。
【０１１４】
なお、処方せん情報表示領域１５６に処方せん１３の文字情報を表示させる場合、端末装置１２は、サーバ装置１１から受信した２次元コード情報１３ａを文字情報に変換する。
【０１１５】
また、２次元コード情報表示領域１５２には、複数の処方せん１３に付された複数の２次元コード情報１３ａが表示されている。このように表示させることにより、複数の処方せん１３に付された２次元コード情報１３ａをレセプトコンピュータに迅速に読み込ませることができる。
【０１１６】
なお、上述した実施の形態では、サーバ装置１１の記憶部１１２に、端末装置１２の画面に２次元コード情報１３ａを表示するか否かを示す情報を記憶させていたが、端末装置１２の記憶部１２４にこの情報を記憶させてもよい。
【０１１７】
この場合、サーバ装置１１の通信部１１１は、処方せん１３の内容を示す文字情報を埋め込んだ２次元コード情報１３ａを端末装置１２に送信し、端末装置１２の制御部１２５は、記憶部１２４に記憶した上記情報に基づいて、端末装置１２の画面に２次元コード情報１３ａを表示させるか否かを決定する。
【０１１８】
また、本実施の形態では、処方せん１３に付されたコード情報を２次元コード情報１３ａとして説明したが、２次元コード情報に限られず、コード情報は、文字情報をコード化した他のコード情報でもよい。
【０１１９】
以上、本発明に係る実施形態について図面を参照して詳述してきたが、上述した各装置は、コンピュータプログラムにより実現され得る。
【０１２０】
具体的には、上述した各装置の機能をプログラムにより実現するコンピュータの読取装置が、上記機能を実現するためのプログラムを記録した記録媒体からそのプログラムを読み取り、記憶装置に記憶させる。あるいは、ネットワークカードが、ネットワークに接続されたサーバ装置と通信を行い、サーバ装置からダウンロードした上記機能を実現するためのプログラムを記憶装置に記憶させる。
【０１２１】
そして、ＣＰＵが、記憶装置に記憶されたプログラムをＲＡＭにコピーし、そのプログラムに含まれる命令をＲＡＭから順次読み出して実行することにより、上記機能が実現される。
【産業上の利用可能性】
【０１２２】
本発明は、医療機関にて発行された処方せんの情報を含んだコード情報の表示を行う装置に広く利用可能である。
【符号の説明】
【０１２３】
１  処方せん表示システム
１０  携帯端末
１０１  入力部
１０２  通信部
１０３  表示部
１０４  記憶部
１０４ａ  患者識別情報
１０４ｂ  専用アプリケーション
１０４ｃ  薬局リスト
１０５  撮像部
１０６  制御部
１１  サーバ装置
１１１  通信部
１１２  記憶部
１１２ａ  薬局設定情報
１１３  制御部
１２  端末装置
１２１  入力部
１２２  通信部
１２３  表示部
１２４  記憶部
１２４ａ  処方せん情報
１２５  制御部
１３  処方せん
１３ａ  ２次元コード情報
１４  依頼リスト画面
１４１  状態欄
１４２  送信情報欄
１４３  送信情報ボタン
１４４  受付欄
１４５  呼出欄
１５  送信情報画面
１５１  ページ選択ボタン表示領域
１５２  ２次元コード情報表示領域
１５２１，１５２２  ２次元コード情報
１５３  処方せん表示領域
１５４  リンク表示領域
１５５  ２次元コード拡大表示領域
１５６  処方せん情報表示領域
【図１】
2019020757.tif 000003
【図２】
2019020757.tif 000004
【図３】
2019020757.tif 000005
【図４】
2019020757.tif 000006
【図５】
2019020757.tif 000007
【図６】
2019020757.tif 000008
【図７】
2019020757.tif 000009
【図８】
2019020757.tif 000010
【図９】
2019020757.tif 000011
【図１０】
2019020757.tif 000012
【図１１】
2019020757.tif 000013
【図１２】
2019020757.tif 000014
【図１３】
2019020757.tif 000015
【図１４】
2019020757.tif 000016
【図１５】
2019020757.tif 000017